(57)【特許請求の範囲】
【請求項１】
体内組織に吸収可能の材質で形成された鍼と、同鍼を離脱可能に植立された支持板とを備えるとともに、上記支持板に上記鍼を離脱させるための亀裂が施された鍼術用具において、上記鍼を植立された支持板の裏面にソフトラバーブロックを介して鍼柄を備えるとともに、上記鍼を内包するようにして上記の支持板，ソフトラバーブロックおよび鍼柄を摺動可能に嵌挿された鍼管を備え、同鍼管の先端開口の内周縁部に上記支持板の外周部と係合しうる縮径部が形成されていることを特徴とする、鍼術用具。
【請求項２】
体内組織に吸収可能の材質で形成された鍼と、同鍼を離脱可能に植立された支持板とを備えるとともに、上記支持板に上記鍼を離脱させるための亀裂が施された鍼術用具において、上記支持板の両側に、挟持操作により上記支持板の亀裂を拡開させて上記鍼を離脱させるための一対の鍼柄が突設されていることを特徴とする、鍼術用具。
【発明の詳細な説明】
【０００１】
【発明の属する技術分野】
本発明は、金，銀，鉄などの鍼（しん，はり）を患部に刺して病気をなおす鍼術のための用具に関する。
【０００２】
【従来の技術】
一般に、鍼術において患部に刺された金属製の鍼は、所要時間の経過後に抜き出されるようになっており、鍼による切皮部分については十分な消毒を施す必要があるほか、鍼を抜き出すための時間管理が必要になっている。
【０００３】
【発明が解決しようとする課題】
そこで本発明は、鍼の材質としてコラーゲンのごとく体内の組織に吸収されるものを用いるとともに、鍼を皮膚下へ適切に没入させうるようにした鍼術用具を提供することを課題とする。
【０００４】
【課題を解決するための手段】
前述の課題を解決するため、本発明の鍼術用具は、体内組織に吸収可能の材質で形成された鍼と、同鍼を離脱可能に植立された支持板とを備えるとともに、上記支持板に上記鍼を離脱させるための亀裂が施されており、上記鍼を植立された支持板の裏面にソフトラバーブロックを介して鍼柄を備えるとともに、上記鍼を内包するようにして上記の支持板，ソフトラバーブロックおよび鍼柄を摺動可能に嵌挿された鍼管を備え、同鍼管の先端開口の内周縁部に上記支持板の外周部と係合しうる縮径部が形成されていることを特徴としている。
【０００５】
また、本発明の鍼術用具は、上記支持板の両側に、挟持操作により上記支持板の亀裂を拡開させて上記鍼を離脱させるための一対の鍼柄が突設されていることを特徴としている。
【０００６】
上述の本発明の鍼術用具では、鍼を植立された支持板が、鍼の皮膚内への刺入後に鍼を離脱させるための亀裂を施されているため、同支持板の亀裂に沿う破断を起こすことにより、鍼に直接触れることなく同鍼を皮膚下に没入させる操作が容易に行われるようになる。そして、体内へ没入した鍼は体内組織に吸収可能のコラーゲンのごとき材質で形成されているので、術後に鍼を回収する必要が無くなるほか、従来配慮されていた施療部位の厳重な消毒や、鍼回収のための時間管理も不要になるという利点が得られる。
【０００７】
また、鍼を植立された支持板の裏面にソフトラバーブロックを介して鍼柄を備えるとともに、同鍼柄を摺動可能に内挿される鍼管が設けられて、同鍼管の先端開口に上記支持板と係合しうる縮径部を備えていると、施療部位の皮膚に鍼管をあてがって鍼柄を叩くだけで、鍼の切皮刺入が行われる。そして鍼の刺入の最終段階において、上記支持板の縁部が上記鍼管の先端の縮径部に係合し、更に押圧されることにより同支持板はその亀裂に沿い割れながら鍼を離脱させるようになる。その際、亀裂の割れ目から突き出たソフトラバーブロックを、鍼柄の回動操作により皮膚面で丸く撫でつけるようにして、鍼の刺入口（切皮部分）を塞ぐことができる。
【０００８】
さらに、鍼を植立された支持板に、刺入後の鍼を離脱させるための亀裂を設けるとともに、同支持板の両側に上記亀裂を拡開させるための一対の鍼柄が突設されている場合は、鍼管の内部に上記鍼付き支持板を鍼柄と共に挿入して、丸棒などの適宜の手段で鍼の刺入を行った後、上記一対の鍼柄の挟持操作によって上記支持板の亀裂を容易に拡開させることができ、このようにして簡便な操作により鍼を支持板から離脱させることができる。
【０００９】
【発明の実施の形態】
以下、図面により本発明の実施形態について説明すると、図１〜４は本発明の第１実施形態としての鍼術用具を示すもので、図１はその組立て要領を示す説明図、図２はその組立て後の状態を示す斜視図、図３(ａ),(ｂ),(ｃ)はその使用要領を順次縦断面で示す説明図、図４は図３の(ｃ)図に対応した斜視図であり、図５は鍼刺入後に使用されるガーゼ付きテープの平面図であり、図６(ａ),(ｂ),(ｃ)は本発明の第２実施形態としての鍼術用具を示すもので、(ａ)図はその縦断面図、(ｂ)図はその斜視図、(ｃ)図はその本体を抜き出して示す斜視図である。
【００１０】
まず本発明の第１実施形態について説明すると、図１に示すように、体内組織に吸収可能のコラーゲン等の材質で形成された鍼１が円形の支持板２に植立されており、同支持板２には、鍼１の体内への刺入後に同鍼１を支持板２から離脱させるための亀裂２ａが施されている。
【００１１】
そして、支持板２の裏面には、ディスク状のソフトラバーブロック３を介して、円柱状の鍼柄４が装着されている。
【００１２】
また、鍼１を内包するようにして支持板２，ソフトラバーブロック３および鍼柄４を摺動可能に嵌挿されるプラスチック製の鍼管５が設けられていて、これらの部材は図２に示すように組立てられるが、図３(ａ)に示すように、鍼管５の先端開口の内周縁部には支持板２の外周部と係合しうる縮径部５ａが形成されている。
【００１３】
なお、この鍼術用具は、図２に示すように、使用前には透明なプラスチック製の袋６内に密封されている。
【００１４】
上述の鍼術用具の使用に際しては、図３(ａ)に示すように、患者の皮膚７の表面に、左手で把持した鍼管５の先端を近づけて押し当てるようにし、次いで右手の人差し指で鍼柄４の基端を叩くことにより、図３(ｂ)に示すごとく鍼１が皮膚下へ刺入してゆくようになる。
【００１５】
そして、最終段階では図３(ｃ)および図４に示すように、鍼１が完全に皮膚７の内方へ没入するとともに、支持板２がその亀裂２ａ（図１参照）の部分で割れて、その割れ目に、変形したソフトラバーブロック３が露出するようになる。
【００１６】
そこで鍼柄４を中心軸線のまわりに回すことにより、ソフトラバーブロック３の露出部位が皮膚７における鍼１の刺入口を丸く撫でるように作用して皮膚７の切皮部分を閉じるので、その上に図５に示す滅菌済みのガーゼ８の付いたテープ９が貼付けられる。
【００１７】
上述のように、この第１実施形態の鍼術用具では、鍼１を植立された支持板２が、鍼１の皮膚内への刺入後に鍼を離脱させるための亀裂２ａを施されているため、同支持板２の亀裂２ａに沿う破断を起こすことにより、鍼１に直接触れることなく同鍼を皮膚下に没入させる操作が容易に行われるようになる。そして、体内へ没入した鍼１は体内組織に吸収可能のコラーゲンのごとき材質で形成されているので、術後に鍼１を回収する必要が無くなるほか、従来配慮されていた施療部位の厳重な消毒や、鍼回収のための時間管理も不要になるという利点が得られる。
【００１８】
また、鍼１を植立された支持板２の裏面にソフトラバーブロックを介して鍼柄４を備えるとともに、同鍼柄４を摺動可能に内挿される鍼管５が設けられて、同鍼管５の先端開口に支持板２と係合しうる縮径部５ａを備えているので、施療部位の皮膚に鍼管をあてがって鍼柄４を叩くだけで、鍼１の切皮刺入が行われる。そして鍼の刺入の最終段階において、支持板２の縁部が鍼管５の先端の縮径部５ａに係合し、更に押圧されることにより同支持板２はその亀裂２ａに沿い割れながら鍼１を離脱させるようになる。その際、前述のごとく亀裂の割れ目から突き出たソフトラバーブロック３を、鍼柄４の回動操作により皮膚面で丸く撫でつけるようにして、鍼の刺入口（切皮部分）を塞ぐことができる。
【００１９】
次に図６(ａ),(ｂ),(ｃ)に示す本発明の第２実施形態について説明すると、図６(ｃ)に示すように、鍼１を植立された円形の支持板２には亀裂２ａが前述の実施形態と同様に設けられているが、この支持板２の両側には、一対の鍼柄４ａ，４ａが取り付けられている。
【００２０】
そして、これらの鍼柄４ａ，４ａを、図６(ｃ)に示す矢印方向に挟持することにより、支持板２の亀裂２ａを拡開させて鍼１を離脱させることができるようになっている。
【００２１】
なお、本実施形態の場合も、鍼１はコラーゲンのごとく体内組織に吸収可能の材質で形成される。
【００２２】
この鍼術用具の使用に際しては、図６(ａ),(ｂ)に示すように、鍼管５の内部に、支持板２および鍼柄４ａを挿入するとともに、適宜の円柱体10を挿入してから、鍼管５の先端を患部の皮膚に押し当て、次いで円柱体10の基端を指で叩くことにより、鍼１を皮膚下に刺入させることができる。そして、円柱体10を抜き取った後、一対の鍼柄４ａ，４ａを図６(ｃ)に矢印で示すごとく挟持することにより、支持板２を亀裂２ａに沿い割るようにして拡開させ鍼１から離脱させることができる。
【００２３】
上述のように、この第２実施形態では、鍼１を植立された支持板２に、刺入後の鍼１を離脱させるための亀裂２ａを設けるとともに、同支持板２の両側に亀裂２ａを拡開させるための一対の鍼柄４ａ，４ａが突設されているので、鍼管５の内部に鍼付き支持板２を鍼柄４ａ，４ａと共に挿入して、円柱体10などの適宜の手段で鍼１の刺入を行った後、上記一対の鍼柄４ａ，４ａの挟持操作によって支持板２の亀裂２ａを容易に拡開させることができ、このようにして簡便な操作により鍼を支持板２から離脱させることができる。
【００２４】
【発明の効果】
以上詳述したように、本発明の鍼術用具によれば次のような効果が得られる。
(1) 鍼を植立された支持板が、鍼の皮膚内への刺入後に鍼を離脱させるための亀裂を施されているため、同支持板の亀裂に沿う破断を起こすことにより、鍼に直接触れることなく同鍼を皮膚下に没入させる操作が容易に行われるようになる。そして、体内へ没入した鍼は体内組織に吸収可能のコラーゲンのごとき材質で形成されているので、術後に鍼を回収する必要が無くなるほか、従来配慮されていた施療部位の厳重な消毒や、鍼回収のための時間管理も不要になるという利点が得られる。また、鍼を植立された支持板の裏面にソフトラバーブロックを介して鍼柄を備えるとともに、同鍼柄を摺動可能に内挿される鍼管が設けられて、同鍼管の先端開口に上記支持板と係合しうる縮径部を備えているので、施療部位の皮膚に鍼管をあてがって鍼柄を叩くだけで、鍼の切皮刺入が行われる。そして鍼の刺入の最終段階において、上記支持板の縁部が上記鍼管の先端の縮径部に係合し、更に押圧されることにより同支持板はその亀裂に沿い割れながら鍼を離脱させるようになる。その際、亀裂の割れ目から突き出たソフトラバーブロックを、鍼柄の回動操作により皮膚面で丸く撫でつけるようにして、鍼の刺入口（切皮部分）を塞ぐことができる。
(2) 上記の鍼を植立された支持板に、刺入後の鍼を離脱させるための亀裂を設けるとともに、同支持板の両側に上記亀裂を拡開させるための一対の鍼柄が突設されている場合は、鍼管の内部に上記鍼付き支持板を鍼柄と共に挿入して、円柱体などの適宜の手段で鍼の刺入を行った後、上記一対の鍼柄の挟持操作によって上記支持板の亀裂を容易に拡開させることができ、このようにして簡便な操作により鍼を支持板から離脱させることができる。
【図面の簡単な説明】
【図１】本発明の第１実施形態としての鍼術用具の組立て要領を示す説明図である。
【図２】図１に示す鍼術用具の組立て後の状態を示す斜視図である。
【図３】(ａ),(ｂ),(ｃ)図は図２の鍼術用具の使用要領を順次縦断面で示す説明図である。
【図４】図３の(ｃ)図に対応した斜視図である。
【図５】鍼刺入後に使用されるガーゼ付きテープの平面図である。
【図６】本発明の第２実施形態としての鍼術用具を示すもので、(ａ)図はその組立て状態を示す縦断面図、(ｂ)図は(ａ)図に対応する斜視図、(ｃ)図はその本体を抜き出して示す斜視図である。
【符号の説明】
１  鍼（はり）
２  支持板
２ａ  亀裂
３  ソフトラバーブロック
４，４ａ  鍼柄
５  鍼管
５ａ  縮径部
６  プラスチック製の袋
７  皮膚
８  ガーゼ
９  テープ
10  円柱体
【図１】
0003619467.tif 000002
【図２】
0003619467.tif 000003
【図３】
0003619467.tif 000004
【図４】
0003619467.tif 000005
【図５】
0003619467.tif 000006
【図６】
0003619467.tif 000007